(57)【要約】【課題】電気接続の信頼性を向上させることができるコネクタを提供する。【解決手段】平板状の端子部材２Ａに収容凹部２１１、２１２が形成されるとともに、収容凹部２１１、２１２に収容されたコイル部材３Ａが端子部材２Ａに保持されることで、収容凹部２１１、２１２の底面と、相手方端子１００と、によってコイル部材３Ａの巻線部３１、３２が挟み込まれる際に、巻線部３１、３２を収容凹部２１１、２１２内で変形させることができる。従って、斜め巻きされたコイル部材３Ａは、リング部３１１、３２１の倒れ以外の変形や移動が生じにくく、端子部材２Ａと相手方端子１００との両方に接触しやすく、電気接続の信頼性を向上させることができる。【選択図】図１
2019216068.tif 000002
【特許請求の範囲】
【請求項１】
斜め巻きされたコイル部材を備えて相手方端子と弾性接触するコネクタであって、
平板状に形成されて前記コイル部材が配置される端子部材と、
前記コイル部材を保持する保持手段と、を備え、
前記端子部材は、前記コイル部材を収容する収容凹部が形成された収容面を有し、
前記保持手段は、前記収容凹部に収容された前記コイル部材を保持することを特徴とするコネクタ。
【請求項２】
前記端子部材には、板厚方向に沿って延びる貫通孔が形成され、
前記保持手段は、前記端子部材とは別体に構成され、前記収容面との間に前記コイル部材の一部を挟み込むコイル挟持部と、前記貫通孔に挿通されるとともに前記収容面とは反対側の面に係止される係止脚部と、を有することを特徴とする請求項１に記載のコネクタ。
【請求項３】
前記保持手段は、前記収容面から突出したフック部を有し、
前記フック部は、前記収容凹部とは反対側を向くとともに前記コイル部材の一部を係止するコイル係止部を有することを特徴とする請求項１に記載のコネクタ。
【請求項４】
前記フック部には、前記コイル部材の一部が前記収容凹部側から前記コイル係止部側に通過可能なコイル通過部が形成されていることを特徴とする請求項３に記載のコネクタ。
【請求項５】
前記収容凹部の底面には、前記収容面に対して傾斜した傾斜面が形成されていることを特徴とする請求項１〜４のいずれか１項に記載のコネクタ。
【発明の詳細な説明】
【技術分野】
【０００１】
本発明は、斜め巻きされたコイル部材を備えて相手方端子と弾性接触するコネクタに関するものである。
【背景技術】
【０００２】
従来、一方のコネクタの端子金具と、他方のコネクタの端子金具と、によってコイルばねを挟み込むことにより、端子金具同士を電気的に接続するコネクタが提案されている（例えば、特許文献１参照）。特許文献１に記載されたコネクタでは、一方の端子金具上に配置された斜め巻きコイルばねが、他方の端子金具によって押圧されることにより、さらに倒れるように変形する構成となっている。
【先行技術文献】
【特許文献】
【０００３】
【特許文献１】特開２０１７−１１２０３１号公報
【発明の概要】
【発明が解決しようとする課題】
【０００４】
しかしながら、特許文献１に記載されたコネクタでは、斜め巻きコイルばねは変形時に倒れやすい方向が決まっているものの、倒れ以外の変形が生じたり移動したりする可能性があった。即ち、予期しない変形等が生じることによって、電気接続の信頼性が低下してしまうおそれがあった。
【０００５】
本発明の目的は、電気接続の信頼性を向上させることができるコネクタを提供することにある。
【課題を解決するための手段】
【０００６】
本願発明のコネクタは、斜め巻きされたコイル部材を備えて相手方端子と弾性接触するコネクタであって、平板状に形成されて前記コイル部材が配置される端子部材と、前記コイル部材を保持する保持手段と、を備え、前記端子部材は、前記コイル部材を収容する収容凹部が形成された収容面を有し、前記保持手段は、前記収容凹部に収容された前記コイル部材を保持することを特徴とする。
【発明の効果】
【０００７】
このような本願発明のコネクタによれば、平板状の端子部材に収容凹部が形成されるとともに、収容凹部に収容されたコイル部材が端子部材に保持されることで、収容凹部の底面と、相手方コネクタの端子金具と、によってコイル部材が挟み込まれる際に、コイル部材を収容凹部内で変形させることができる。従って、斜め巻きされたコイル部材は、倒れ以外の変形や移動が生じにくく、端子部材と相手方の端子金具との両方に接触しやすく、電気接続の信頼性を向上させることができる。
【図面の簡単な説明】
【０００８】
【図１】本発明の第１実施形態に係るコネクタを示す斜視図である。
【図２】前記コネクタを示す断面図である。
【図３】前記コネクタの要部を示す断面図である。
【図４】前記コネクタのコイル部材を模式的に示す平面図である。
【図５】本発明の第２実施形態に係るコネクタを示す斜視図である。
【図６】前記コネクタを示す断面図である。
【図７】前記コネクタにおいてフック部がコイル部材の端部を係止する様子を示す平面図である。
【図８】前記コネクタにおいてフック部がコイル部材の接続部を係止する様子を示す平面図である。
【図９】本発明の第３実施形態に係るコネクタを示す斜視図である。
【図１０】前記コネクタを示す断面図である。
【図１１】前記コネクタにおいてフック部がコイル部材の端部を係止する様子を示す平面図である。
【図１２】前記コネクタにおいてフック部がコイル部材の接続部を係止する様子を示す平面図である。
【発明を実施するための形態】
【０００９】
以下、本発明の各実施形態を図面に基づいて説明する。尚、第２、３実施形態においては、第１実施形態で説明する構成部材と同じ構成部材及び同様な機能を有する構成部材には、第１実施形態と同じ符号を付すとともに説明を省略する。
【００１０】
［第１実施形態］
本実施形態のコネクタ１Ａは、図１、２に示すように、端子部材２Ａと、コイル部材３Ａと、保持手段としての２つの固定ピン４と、コネクタハウジングと、を備える。コネクタ１Ａおよび相手方コネクタは、それぞれ例えばワイヤハーネスの先端に設けられ、コネクタハウジング同士の嵌合によって互いに接続され、端子部材２Ａと相手方端子１００とが電気的に接続されるようになっている。
【００１１】
端子部材２Ａは、導電性の金属部材によって平面視長方形の平板状に形成され、例えばワイヤハーネスの導体部（芯線）と電気的に接続される。以下では、端子部材２Ａの板厚方向をＺ方向とし、長方形の長辺方向をＸ方向とし、短辺方向をＹ方向とする。端子部材２Ａの一面である収容面２１には、２つの収容凹部２１１、２１２が形成されている。また、端子部材２Ａには、Ｚ方向に沿って延びる（即ち収容面２１から反対側の面２２まで延びる）２対の貫通孔対２３、２４が形成されている。
【００１２】
収容凹部２１１、２１２は、それぞれＸ方向に沿って延びている。収容凹部のＸ方向寸法は、コイル部材３Ａの自然長に対して略等しいか若干大きく、Ｙ方向寸法は、コイル部材３Ａの直径に対して略等しいか若干大きく、深さは、コイル部材３Ａの半径に略等しい。２つの収容凹部２１１、２１２はＹ方向に並んでいる。
【００１３】
収容凹部２１１、２１２の底部には、図３に示すように、コイル部材３Ａの後述する複数のリング部３１１、３２１のそれぞれが配置される複数の凹状の配置部２１１Ａ、２１２Ａが形成されている。配置部２１１Ａ、２１２Ａは、Ｘ方向に対して傾斜した傾斜面２１１Ｂ、２１２Ｂと、Ｚ方向に沿って延びる垂直面２１１Ｃ、２１２Ｃと、が形成されている。即ち、収容凹部２１１、２１２の底面には、収容面２１に対して傾斜するとともに複数のリング部３１１、３２１のそれぞれが配置される複数の傾斜面２１１Ｂ、２１２Ｂが形成されている。
【００１４】
貫通孔対２３、２４は、図４に示すように、Ｙ方向において、２つの収容凹部２１１、２１２の間の領域に形成されている。一方の貫通孔対２３は、収容凹部２１１、２１２のＸ方向一端側に配置され、他方の貫通孔対２４は、収容凹部２１１、２１２のＸ方向他端側に配置されている。一方の貫通孔対２３は、２つの収容凹部２１１、２１２に挟まれる位置に形成された内側貫通孔２３１と、２つの収容凹部２１１、２１２に挟まれない位置に形成された外側貫通孔２３２と、によって構成されている。同様に、他方の貫通孔対２４は、２つの収容凹部２１１、２１２に挟まれる位置に形成された内側貫通孔２４１と、２つの収容凹部２１１、２１２に挟まれない位置に形成された外側貫通孔２４２と、によって構成されている。
【００１５】
コイル部材３Ａは、１本の金属製の線材３０によって構成されており、斜め巻きされた２つの巻線部３１、３２を有する。巻線部３１、３２は、螺旋状に形成されることで複数のリング部３１１、３２１を有する（１周分を１つのリング部とする）。２つの巻線部３１、３２は、それぞれ収容凹部２１１、２１２に収容されることにより、Ｘ方向を軸方向として延びるとともに、Ｙ方向に並べられる。２つの巻線部３１、３２は、Ｘ方向一端側において、Ｙ方向に沿って延びる接続部３３によって接続され、Ｘ方向他端側に端部３４、３５が配置されている。端部３４、３５は、例えばＸ方向に並んでいる。接続部３３は、一方の貫通孔対２３における内側貫通孔２３１と外側貫通孔２３２との間に配置され、端部３４、３５は、一方の貫通孔対２４における内側貫通孔２４１と外側貫通孔２４２との間に配置される。
【００１６】
尚、「斜め巻き」とは、Ｚ方向の力が加わった際にリング部３１１、３２１が決まった方向に倒れるように、リング部３１１、３２１が、Ｚ方向に対して所定値以上の傾斜角度を有することを意味する。また、リング部３１１、３２１の傾斜の向きと、収容凹部２１１、２１２の底面の傾斜面２１１Ｂ、２１２Ｂの傾斜の向きと、は一致している。また、本実施形態では、２つの巻線部３１、３２の傾斜の向きは互いに一致しているものとするが、互いに逆向きであってもよい。
【００１７】
固定ピン４は、端子部材２Ａとは別体に構成され、端子部材２Ａにコイル部材３Ａを保持させるために用いられる。尚、固定ピン４は、導電性部材によって構成されていてもよいし、絶縁性部材によって構成されていてもよい。固定ピン４は、一対の係止脚部４１、４２と、係止脚部４１、４２を連結する連結部４３と、を有する。
【００１８】
一方の係止脚部４１は、端子部材２Ａの内側貫通孔２３１、２４１に挿通され、他方の係止脚部４２は、外側貫通孔２３２、２４２に挿通される。係止脚部４１、４２は、その先端に、互いに離れる方向に突出した係止突起４１１、４２１を有する。一対の係止脚部４１、４２は、収容面２１側から貫通孔２３１、２３２、２４１、２４２に挿通され、係止突起４１１、４２１が貫通孔２３１、２３２、２４１、２４２内を通過する際に、互いに近づくように撓み変形する。係止突起４１１、４２１が貫通孔２３１、２３２、２４１、２４２を通過して反対側の面２２に到達すると、係止脚部４１、４２は復元して元の形状となる。これにより、係止脚部４１、４２は、係止突起４１１、４２１によって、収容面２１とは反対側の面２２に係止される。
【００１９】
連結部４３は、係止脚部４１、４２が反対側の面２２に係止された状態において、Ｘ方向に沿って延びるとともに、その下面４３１が、収容面２１との間に間隔をあける。下面４３１と収容面２１との間隔は、コイル部材３Ａを構成する線材３０の太さと同程度か若干小さく、下面４３１と収容面２１とが、接続部３３または端部３４、３５を挟み込む。即ち、連結部４３は、収容面２１との間にコイル部材３Ａの一部を挟み込むコイル挟持部として機能する。
【００２０】
このように、固定ピン４を端子部材２Ａに対して取り付けることにより、コイル部材３Ａが固定ピン４と端子部材２Ａとによって挟み込まれて保持され、巻線部３１、３２が収容凹部２１１、２１２内に位置付けられる。即ち、固定ピン４は、収容凹部２１１、２１２に収容されたコイル部材３Ａを保持し、保持手段として機能する。
【００２１】
コネクタハウジングは、例えば絶縁性の樹脂によって箱状に形成され、端子部材２Ａとコイル部材３Ａと固定ピン４とを収容する。コネクタハウジングは、収容面２１側に開口部を有しており、相手方端子１００が通過可能となっている。尚、相手方端子１００は、固定ピン４と干渉しないような大きさおよび形状を有しているものとする。
【００２２】
以上のようなコネクタ１と相手方コネクタとが接続される際、相手方端子１００は、端子部材２Ａに接近していき、コイル部材３Ａの巻線部３１、３２に接触した後、巻線部３１、３２を端子部材２Ａに押し付けるように圧縮する。このとき、巻線部３１、３２は、斜め巻きの向きに応じてリング部３１１、３２１が倒れるように変形する。このように、コネクタ１はコイル部材３Ａによって相手方端子１００と弾性接触し、端子部材２Ａと相手方端子１００とがコイル部材３Ａを介して電気的に接続される。
【００２３】
このような本実施形態によれば、以下のような効果がある。即ち、平板状の端子部材２Ａに収容凹部２１１、２１２が形成されるとともに、収容凹部２１１、２１２に収容されたコイル部材３Ａが端子部材２Ａに保持されることで、収容凹部２１１、２１２の底面と、相手方端子１００と、によってコイル部材３Ａの巻線部３１、３２が挟み込まれる際に、巻線部３１、３２を収容凹部２１１、２１２内で変形させることができる。従って、斜め巻きされたコイル部材３Ａは、リング部３１１、３２１の倒れ以外の変形や移動が生じにくく、端子部材２Ａと相手方端子１００との両方に接触しやすく、電気接続の信頼性を向上させることができる。また、収容凹部２１１、２１２によって、コイル部材３Ａを容易に位置決めすることができる。
【００２４】
また、係止脚部４１、４２とコイル挟持部としての連結部４３とを有する固定ピン４を固定手段として用い、端子部材２Ａにコイル部材３Ａを保持させることで、コイル部材３Ａの巻線部３１、３２が収容凹部２１１、２１２の内側に収容された状態を保ちやすくすることができる。
【００２５】
また、収容凹部２１１、２１２の底面に傾斜面２１１Ｂ、２１２Ｂが形成されていることで、巻線部３１、３２を斜め巻きの向きに応じて倒れやすくすることができる。これにより、コイル部材３Ａを変形させるために必要な力を小さくし、コネクタ同士の接続時の作業性を向上させることができる。
【００２６】
また、コイル部材３Ａが、それぞれＸ方向に延びるとともにＹ方向に並ぶ２つの巻線部３１、３２を有することで、巻線部３１、３２に接触する相手方端子１００の接触面を、収容面２１に対して略平行に保つことができる。
【００２７】
［第２実施形態］
本実施形態のコネクタ１Ｂは、図５、６に示すように、端子部材２Ｂと、コイル部材３Ｂと、保持手段としての係止部材５と、コネクタハウジングと、を備える。
【００２８】
端子部材２Ｂは、前記第１実施形態の端子部材２Ａと同様に、導電性の金属部材によって平面視長方形の平板状に形成されるとともに、収容面２１に２つの収容凹部２１１、２１２が形成されている。端子部材２Ｂには、Ｚ方向に沿って延びる（即ち収容面２１から反対側の面２２まで延びる）２つの貫通孔２５、２６が形成されている。貫通孔２５、２６は、Ｙ方向において２つの収容凹部２１１、２１２の間の領域であり、且つ、Ｘ方向において２つの収容凹部２１１、２１２に挟まれない位置に形成されている。
【００２９】
コイル部材３Ｂは、前記第１実施形態のコイル部材３Ａと同様に、１本の金属製の線材３０によって構成されており、斜め巻きされた２つの巻線部３１、３２を有する。２つの巻線部３１、３２は、Ｘ方向一端側において接続部３６によって接続され、Ｘ方向他端側に端部３７、３８が配置されている。
【００３０】
係止部材５は、端子部材２Ｂとは別体に構成され、端子部材２Ｂの反対側の面２２に重ねられる板状部５１と、板状部５１から端子部材２Ｂに向かって突出する２つの突出部５２と、突出部５２の先端に形成されたフック部５３と、を一体に有する。尚、係止部材５は、導電性部材によって構成されていてもよいし、絶縁性部材によって構成されていてもよい。また、係止部材５は、接着剤や固定用のクランプ等を用いることにより、端子部材２Ｂに対して固定される。
【００３１】
２つの突出部５２は、端子部材２Ｂの２つの貫通孔２５、２６のそれぞれに挿通される。これにより、フック部５３が収容面２１から突出する。フック部５３は、Ｘ方向において収容凹部２１１、２１２とは反対側を向くとともにコイル部材３Ｂの接続部３６または端部３７、３８を係止するコイル係止部５３１を有する。コイル係止部５３１は、接続部３６または端部３７、３８が当接する当接面５３１Ａと、当接面５３１Ａよりも先端側（収容面２１から離れた側）において収容凹部２１１、２１２とはＸ方向反対側に突出した突起部５３１Ｂと、によって構成されている。
【００３２】
フック部５３は、Ｘ方向から見て二俣状となっていることにより、二俣の間に、コイル部材３Ｂの線材３０が通過可能なコイル通過部５３２が形成されている。即ち、コイル部材３Ｂの接続部３６または端部３７、３８が、収容凹部２１１、２１２側からコイル係止部５３１側に向かって、コイル通過部５３２を通過可能となっている。
【００３３】
フック部５３によってコイル部材３Ｂの接続部３６または端部３７、３８を係止する構造の詳細について、図７、８を参照して説明する。端部３７、３８側において、線材３０は、巻線部３１、３２からＹ方向において互いに近づくように延びた後、収容凹部２１１、２１２から離れるようにＸ方向に沿って延びてコイル通過部５３２を通過する。線材３０は、コイル通過部５３２を通過した後、Ｙ方向において互いに離れるように延び、端部３７、３８がコイル係止部５３１によって係止される。
【００３４】
接続部３６側において、線材３０は、巻線部３１、３２からＹ方向において互いに近づくように延びた後、収容凹部２１１、２１２から離れるようにＸ方向に沿って延びてコイル通過部５３２を通過する。線材３０は、コイル通過部５３２を通過した後、Ｙ方向において一旦互いに離れるように延び、再び互いに近づいて連続することにより、環状の接続部３６を構成する。環状の接続部３６がコイル係止部５３１によって係止される。以上のように、端子部材２Ｂに固定された係止部材５が、フック部５３によってコイル部材３Ｂの接続部３６または端部３７、３８を係止することにより、巻線部３１、３２が収容凹部２１１、２１２内に位置付けられる。即ち、係止部材５は、収容凹部２１１、２１２に収容されたコイル部材３Ｂを保持し、保持手段として機能する。
【００３５】
このような本実施形態によれば、以下のような効果がある。即ち、前記第１実施形態と同様に、平板状の端子部材２Ｂに収容凹部２１１、２１２が形成されるとともに、収容凹部２１１、２１２に収容されたコイル部材３Ｂが端子部材２Ｂに保持されることで、斜め巻きされたコイル部材３Ｂが端子部材２Ｂと相手方端子１００との両方に接触しやすく、電気接続の信頼性を向上させることができる。また、収容凹部２１１、２１２によって、コイル部材３Ｂを容易に位置決めすることができる。
【００３６】
また、フック部５３を有する係止部材５を保持手段として用い、端子部材２Ｂにコイル部材３Ｂを保持させることで、コイル部材３Ｂの巻線部３１、３２が収容凹部２１１、２１２の内側に収容された状態を保ちやすくすることができる。
【００３７】
また、フック部５３がコイル通過部５３２を有していることで、コイル部材３Ｂの線材３０のうちコイル通過部５３２を通過する部分の変形を抑制することができ、フック部５３による線材３０の係止を解除されにくくすることができる。
【００３８】
また、コイル部材３Ｂが、それぞれＸ方向に延びるとともにＹ方向に並ぶ２つの巻線部３１、３２を有することで、巻線部３１、３２に接触する相手方端子１００の接触面を、収容面２１に対して略平行に保つことができる。
【００３９】
［第３実施形態］
本実施形態のコネクタ１Ｃは、図９、１０に示すように、端子部材２Ｃと、コイル部材３Ｃと、保持手段としての係止部材５Ｃと、コネクタハウジングと、を備える。
【００４０】
端子部材２Ｃは、前記第１実施形態の端子部材２Ａと同様に、導電性の金属部材によって平面視長方形の平板状に形成されるとともに、収容面２１に２つの収容凹部２１１、２１２が形成されている。端子部材２Ｃには、Ｚ方向に沿って延びる（即ち収容面２１から反対側の面２２まで延びる）２つの貫通孔２５、２６が形成されている。
【００４１】
コイル部材３Ｃは、前記第１実施形態のコイル部材３Ａと同様に、１本の金属製の線材３０によって構成されており、斜め巻きされた２つの巻線部３１、３２を有する。２つの巻線部３１、３２は、Ｘ方向一端側において接続部３９Ａによって接続され、Ｘ方向他端側に端部３９Ｂ、３９Ｃが配置されている。
【００４２】
係止部材５Ｃは、端子部材２Ｃとは別体に構成され、端子部材２Ｃの反対側の面２２に重ねられる板状部５１と、板状部５１から端子部材２Ｃに向かって突出する２つの突出部５２と、突出部５２の先端に形成されたフック部５４と、を一体に有する。尚、係止部材５Ｃは、導電性部材によって構成されていてもよいし、絶縁性部材によって構成されていてもよい。また、係止部材５Ｃは、接着剤や固定用のクランプ等を用いることにより、端子部材２Ｃに対して固定される。
【００４３】
２つの突出部５２は、端子部材２Ｂの２つの貫通孔２５、２６のそれぞれに挿通される。これにより、フック部５４が収容面２１から突出する。フック部５４は、Ｘ方向において収容凹部２１１、２１２とは反対側を向くとともにコイル部材３Ｃの接続部３９Ａまたは端部３９Ｂ、３９Ｃを係止するコイル係止部５４１を有する。コイル係止部５４１は、接続部３９Ａまたは端部３９Ｂ、３９Ｃが当接する当接面５４１Ａと、当接面５４１Ａよりも先端側（収容面２１から離れた側）において収容凹部２１１、２１２とはＸ方向反対側に突出した突起部５４１Ｂと、によって構成されている。
【００４４】
フック部５４は、前記第２実施形態のフック部５３とは異なり、コイル通過部を有していない。即ち、図１１、１２に示すように、フック部５４の外側にコイル部材３Ｃの線材３０が掛け回されることにより、接続部３９Ａまたは端部３９Ｂ、３９Ｃが係止されるようになっている。端子部材２Ｃに固定された係止部材５Ｃが、フック部５４によってコイル部材３Ｃの接続部３９Ａまたは端部３９Ｂ、３９Ｃを係止することにより、巻線部３１、３２が収容凹部２１１、２１２内に位置付けられる。即ち、係止部材Ｃは、収容凹部２１１、２１２に収容されたコイル部材３Ｃを保持し、保持手段として機能する。
【００４５】
このような本実施形態によれば、以下のような効果がある。即ち、前記第１実施形態と同様に、平板状の端子部材２Ｃに収容凹部２１１、２１２が形成されるとともに、収容凹部２１１、２１２に収容されたコイル部材３Ｃが端子部材２Ｃに保持されることで、斜め巻きされたコイル部材３Ｃが端子部材２Ｃと相手方端子１００との両方に接触しやすく、電気接続の信頼性を向上させることができる。また、収容凹部２１１、２１２によって、コイル部材３Ｃを容易に位置決めすることができる。
【００４６】
また、フック部５４を有する係止部材５Ｃを保持手段として用い、端子部材２Ｃにコイル部材３Ｃを保持させることで、コイル部材３Ｃの巻線部３１、３２が収容凹部２１１、２１２の内側に収容された状態を保ちやすくすることができる。
【００４７】
また、コイル部材３Ｃが、それぞれＸ方向に延びるとともにＹ方向に並ぶ２つの巻線部３１、３２を有することで、巻線部３１、３２に接触する相手方端子１００の接触面を、収容面２１に対して略平行に保つことができる。
【００４８】
なお、本発明は、前記実施形態に限定されるものではなく、本発明の目的が達成できる他の構成等を含み、以下に示すような変形等も本発明に含まれる。
【００４９】
例えば、前記第１〜第３実施形態では、コイル部材３Ａ〜３Ｃが２つの巻線部３１、３２を有するものとしたが、コイル部材は、１つの巻線部を有していてもよいし、３つ以上の巻線部を有していてもよい。また、コイル部材が複数の巻線部を有する場合、１本の線材によって複数の巻線部が形成されていてもよいし、各巻線部がそれぞれ独立した線材によって形成されていてもよい。また、端子部材の収容面には、コイル部材の巻線部の数以上の収容凹部が形成されていればよい。
【００５０】
また、前記第１実施形態では、収容凹部２１１、２１２の底面に傾斜面２１１Ｂ、２１２Ｂが形成されているものとしたが、例えば斜め巻きされた巻線部の傾斜角度が充分に大きく、リング部が決まった向きに倒れやすい場合には、傾斜面は形成されていなくてもよい。
【００５１】
また、前記第２、第３実施形態では、フック部５３、５４を有する係止部材５、５Ｃが端子部材２Ｂ、２Ｃと別体に構成されているものとしたが、フック部が端子部材と一体に形成され、収容面から突出する構成としてもよい。このような構成によれば、部品点数を削減することができる。
【００５２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５３】
１Ａ〜１Ｃ         コネクタ
２Ａ〜２Ｃ         端子部材
２１               収容面
２３、２４         貫通孔対
２１１、２１２     収容凹部
２１１Ｂ、２１２Ｂ 傾斜面
３Ａ〜３Ｃ         コイル部材
４                 固定ピン（保持手段）
４１、４２         係止脚部
４３               連結部（コイル挟持部）
５、５Ｃ           係止部材（保持手段）
５３、５４         フック部
５３２             コイル通過部
１００             相手方端子
【図１】
2019216068.tif 000003
【図２】
2019216068.tif 000004
【図３】
2019216068.tif 000005
【図４】
2019216068.tif 000006
【図５】
2019216068.tif 000007
【図６】
2019216068.tif 000008
【図７】
2019216068.tif 000009
【図８】
2019216068.tif 000010
【図９】
2019216068.tif 000011
【図１０】
2019216068.tif 000012
【図１１】
2019216068.tif 000013
【図１２】
2019216068.tif 000014